(57)【要約】【課題】電子メールの送信者が受信者の受信者側端末のメールアドレスを直接指定することなく、特定の受信者に電子メールの送信ができる情報通信システムを提供すること。【解決手段】受信者側端末３００は、受信者位置情報を送信する受信者位置情報発信部３０１を有し、送信者側端末１００は、送信者位置情報を送信する送信者位置情報発信部１０１と、受信者側端末３００を指定する受信者指定部１０２と、送信情報を作成する送信情報作成部１０３とを有し、サーバーコンピュータ２００は、受信者位置情報と対応する受信者情報により特定の受信者側端末３００を認識する受信者認識部２０２を有し、受信者指定部１０２により指定された受信者側端末３００の受信者位置情報に基づいて受信者認識部２０２が対応する受信者側端末３００を特定し、特定された受信者側端末３００に対して、送信情報を送信する。【選択図】        図２
2006211011.tif 000002
【特許請求の範囲】
【請求項１】
送信者側端末と受信者側端末とサーバーコンピュータとを備える情報通信システムであって、
前記受信者側端末は、前記受信者側端末の位置を示す受信者位置情報を前記サーバーコンピュータへ送信する受信者位置情報発信部を有し、
前記送信者側端末は、前記送信者側端末の位置を示す送信者位置情報を前記サーバーコンピュータへ送信する送信者位置情報発信部と、前記サーバーコンピュータに対して前記受信者側端末の位置を指定することにより送信情報を送信したい前記受信者側端末を指定する受信者指定部と、前記受信者側端末へ送信する前記送信情報を作成する送信情報作成部とを有し、
前記サーバーコンピュータは、
前記受信者位置情報発信部から送信される前記受信者位置情報、及び予め前記受信者側端末に対応付けられている受信者情報により特定の受信者側端末を認識する受信者認識部を有し、
前記送信者側端末の前記受信者指定部により指定された前記受信者側端末の前記受信者位置情報に基づいて、前記サーバーコンピュータの前記受信者認識部が対応する前記受信者側端末を特定し、特定された前記受信者側端末に対して、前記送信者側端末の前記送信情報作成部で作成された前記送信情報を送信することを特徴とする情報通信システム。
【請求項２】
前記サーバーコンピュータは、前記受信者側端末の位置に基づく位置分布図を作成する受信候補者選出エリア作成部を有し、
前記受信者指定部は、前記サーバーコンピュータの前記受信候補者選出エリア作成部で作成された前記位置分布図を表示する表示部と、表示された前記位置分布図に基づいて前記受信者側端末を選択する受信者選択部とを有することを特徴とする請求項１に記載の情報通信システム。
【請求項３】
前記受信者指定部は、予め所定領域エリアを指定することにより前記受信者側端末を選択する前記受信者選択部を有することを特徴とする請求項１または２に記載の情報通信システム。
【請求項４】
前記サーバーコンピュータは、前記位置分布図の所定領域内に存在する複数の前記受信者端末へ前記送信情報を送信することを特徴とする請求項１〜３のいずれか一項に記載の情報通信システム。
【請求項５】
前記送信者側端末は、前記受信者側端末までの距離と方位を測定する受信者座標測定部を有し、
前記サーバーコンピュータの前記受信者認識部は、前記送信者位置情報と、前記受信者側端末までの前記距離と前記方位に基づいて前記受信者側端末を認識することを特徴とする請求項１に記載の情報通信システム。
【請求項６】
前記受信者側端末は、前記サーバーコンピュータから送信される前記通信情報の受信の可否を設定する受信可否設定部を有することを特徴とする請求項１〜５のいずれか一項に記載の情報通信システム。
【請求項７】
前記受信可否設定部は、前記受信者側端末から所定距離内に存在する前記送信者側端末からの前記通信情報のみの受信を許可することを特徴とする請求項６に記載の情報通信システム。
【請求項８】
前記サーバーコンピュータが備える制御部は、一定時間が経過したときに、前記送信者側端末からの前記通信情報を消去することを特徴とする請求項１〜７のいずれか一項に記載の情報通信システム。
【請求項９】
前記サーバーコンピュータが備える制御部は、一定時間が経過し、かつ前記送信者側端末からの前記通信情報の数量が所定値以上になったとき、前記通信情報を前記受信者側端末へ送信するように制御することを特徴とする請求項１〜７のいずれか一項に記載の情報通信システム。
【請求項１０】
前記サーバーコンピュータが備える制御部は、一定時間が経過し、かつ前記通信情報を送信する前記送信者側端末の数量が所定値以上になったとき、前記通信情報を前記受信者側端末へ送信するように制御することを特徴とする請求項１〜７のいずれか一項に記載の情報通信システム。
【発明の詳細な説明】
【技術分野】
【０００１】
本発明は、情報通信システムに関し、特に携帯情報端末を用いる情報通信システムに関するものである。
【背景技術】
【０００２】
近年、携帯電話等の携帯情報端末は、目覚しい普及を遂げ、大多数の人が所持するようになっている。このような携帯情報端末としては、電子メールを送信する送信者側において、特定の受信者の電子メールアドレスを直接指定することにより、サーバーコンピュータを介して、電子メールを特定の受信者に送信するメール送信システムが実現されている。また、電子メールアドレスを直接指定することなく、地理的領域の指定によってメールの送信先の指定を受け付けるメール作成支援システムが提案されている（例えば、特許文献１参照）。特許文献１に開示された構成では、表示された地図上で地理的範囲を指定することにより、その地理的範囲に居住する住民を、電子メール等のあて先として選択することができる。
【０００３】
【特許文献１】特開２００４−６２２４７号公報
【発明の開示】
【発明が解決しようとする課題】
【０００４】
従来のメール通信システムでは、電子メールの送信者が、電子メールの送信時に受信者を直接的または間接的に、メールアドレスにより指定して、電子メールの送信を行う必要がある。このため、受信者側のメールアドレスを送信者が認識していることが前提となる。しかしながら、受信者側のメールアドレスを送信者が直接認識していない場合であっても、特定の受信者に電子メールを送信することができれば、新たなコミュニケーションツールとなり得る。
【０００５】
本発明は、上記に鑑みてなされたものであって、電子メールの送信者が受信者の受信者側端末のメールアドレスを直接指定することなく、特定の受信者に電子メールの送信ができる情報通信システムを提供することを目的とする。
【課題を解決するための手段】
【０００６】
上述した課題を解決し、目的を達成するために、本発明によれば、送信者側端末と受信者側端末とサーバーコンピュータとを備える情報通信システムであって、受信者側端末は、受信者側端末の位置を示す受信者位置情報をサーバーコンピュータへ送信する受信者位置情報発信部を有し、送信者側端末は、送信者側端末の位置を示す送信者位置情報をサーバーコンピュータへ送信する送信者位置情報発信部と、サーバーコンピュータに対して受信者側端末の位置を指定することにより送信情報を送信したい受信者側端末を指定する受信者指定部と、受信者側端末へ送信する送信情報を作成する送信情報作成部とを有し、サーバーコンピュータは、受信者位置情報発信部から送信される受信者位置情報、及び予め受信者側端末に対応付けられている受信者情報により特定の受信者側端末を認識する受信者認識部を有し、送信者側端末の受信者指定部により指定された受信者側端末の受信者位置情報に基づいて、サーバーコンピュータの受信者認識部が対応する受信者側端末を特定し、特定された受信者側端末に対して、送信者側端末の送信情報作成部で作成された送信情報を送信することを特徴とする情報通信システムを提供できる。
【０００７】
また、本発明の好ましい態様によれば、サーバーコンピュータは、受信者側端末の位置に基づく位置分布図を作成する受信候補者選出エリア作成部を有し、受信者指定部は、サーバーコンピュータの受信候補者選出エリア作成部で作成された位置分布図を表示する表示部と、表示された位置分布図に基づいて受信者側端末を選択する受信者選択部とを有することが望ましい。
【０００８】
また、本発明の好ましい態様によれば、受信者指定部は、予め所定領域エリアを指定することにより受信者側端末を選択する受信者選択部を有することが望ましい。
【０００９】
また、本発明の好ましい態様によれば、サーバーコンピュータは、位置分布図の所定領域内に存在する複数の受信者端末へ送信情報を送信することが望ましい。
【００１０】
また、本発明の好ましい態様によれば、送信者側端末は、受信者側端末までの距離と方位を測定する受信者座標測定部を有し、サーバーコンピュータの受信者認識部は、送信者位置情報と、受信者側端末までの距離と方位に基づいて受信者側端末を認識することが望ましい。
【００１１】
また、本発明の好ましい態様によれば、受信者側端末は、サーバーコンピュータから送信される通信情報の受信の可否を設定する受信可否設定部を有することが望ましい。
【００１２】
また、本発明の好ましい態様によれば、受信可否設定部は、受信者側端末から所定距離内に存在する送信者側端末からの通信情報のみの受信を許可することが望ましい。
【００１３】
また、本発明の好ましい態様によれば、サーバーコンピュータが備える制御部は、一定時間が経過したときに、送信者側端末からの通信情報を消去することが望ましい。
【００１４】
また、本発明の好ましい態様によれば、サーバーコンピュータが備える制御部は、一定時間が経過し、かつ送信者側端末からの通信情報の数量が所定値以上になったとき、通信情報を受信者側端末へ送信するように制御することが望ましい。
【００１５】
また、本発明の好ましい態様によれば、サーバーコンピュータが備える制御部は、一定時間が経過し、かつ通信情報を送信する送信者側端末の数量が所定値以上になったとき、通信情報を受信者側端末へ送信するように制御することが望ましい。
【発明の効果】
【００１６】
本発明に係る情報通信システムは、送信者側端末と受信者側端末とサーバーコンピュータとを備えている。受信者側端末は、受信者側端末の位置を示す受信者位置情報をサーバーコンピュータへ送信する受信者位置情報発信部を有している。また、送信者側端末の送信者位置情報発信部は、送信者側端末の位置を示す送信者位置情報をサーバーコンピュータへ送信する。送信情報作成部は、受信者側端末へ送信する前記送信情報を作成する。送信情報は、例えば、受信者側端末へ送信するメッセージである。ここで、受信者側端末の使用者は、受信者指定部により、サーバーコンピュータに対して受信者側端末の位置を指定することにより送信情報を送信したい受信者側端末を指定する。サーバーコンピュータの受信者認識部は、受信者位置情報発信部から送信される受信者位置情報、及び予め受信者側端末に対応付けられている受信者情報により特定の受信者側端末を認識する。受信者情報は、例えば、受信者側端末のメールアドレスである。送信者側端末の受信者指定部により指定された受信者側端末の受信者位置情報に基づいて、サーバーコンピュータの受信者認識部が対応する受信者側端末を特定する。そして、特定された受信者側端末に対して、送信者側端末の送信情報作成部で作成された送信情報を送信する。この構成において、サーバーコンピュータのみが、受信者情報を認識している。このため、送信者側端末からは、受信者側端末を特定することで、受信者情報を知る必要なく、送信情報を送信できる。この結果、送信情報を送信しようとする送信者は、受信者側端末の受信者情報を直接指定することなく、特定の受信者情報端末に送信情報を送信することができる。
【発明を実施するための最良の形態】
【００１７】
以下に、本発明に係る情報通信システムの実施例を図面に基づいて詳細に説明する。なお、この実施例により、この発明が限定されるものではない。
【実施例１】
【００１８】
図１は、本発明の実施例１に係る情報通信システムの概略構成を示す。送信者側端末１００は、サーバーコンピュータ２００を介して、受信者側端末３００ａ、３００ｂ、３００ｃへ送信情報を送信する。送信者側端末１００と、受信者側端末３００ａ、３００ｂ、３００ｃとは、それぞれ携帯電話の機能を備えている。例えば、送信者側端末１００は、情報表示部１４０とテンキー１５０とを備えている。情報表示部１４０は、液晶パネルや有機ＥＬパネルを用いることができる。また、テンキー１５０は、文字、アルファベット、数字、記号の入力に用いられる。また、受信者側端末３００ａ、３００ｂ、３００ｃも、同様に、情報表示部１４０、テンキー１５０を備えている。
【００１９】
図２は、本情報通信システムの原理的な機能ブロックを示す。送信者側端末１００、受信者側端末３００、サーバーコンピュータ２００の順に説明する。送信者側端末１００は、送信者位置情報発信部１０１は、送信者側端末の位置を示す送信者位置情報をサーバーコンピュータ２００へ送信する。送信者位置情報は、例えばＧＰＳ（Ｇｌｏｂａｌ  Ｐｏｓｉｔｉｏｎｉｎｇ  Ｓｙｓｔｅｍ）により得られるような、送信者側端末１００の緯度、経度を示す絶対的な位置情報を用いることができる。また、送信者位置情報は、サーバーコンピュータ２００に対する相対的な位置情報でも良い。
【００２０】
受信者指定部１０２は、後述する手順により表示された受信者候補の中から、送信したい受信者を指定する。送信情報作成部１０３は、サーバーコンピュータ２００を介して、選択された受信者側端末３００へ送信する送信情報を作成する。送信情報は、例えば、文字データ、画像データ、音声データ等で構成されている。制御部１１０は、サーバーコンピュータ２００との間の送信及び受信の制御を行なう。通信部１２０は、サーバーコンピュータ２００との間の送信及び受信を行なう。
【００２１】
次に、受信者側端末３００について説明する。受信者位置情報発信部３０１は、受信者側端末３００の位置を示す受信者位置情報をサーバーコンピュータ２００へ送信する。受信者位置情報は、例えばＧＰＳにより得られるような、受信者側端末３００の緯度、経度を示す絶対的な位置情報を用いることができる。また、受信者位置情報は、サーバーコンピュータ２００に対する相対的な位置情報でも良い。
【００２２】
受信可否設定部３０２は、後述する手順により通信情報の受信拒否または受信許可を設定する。制御部３１０は、サーバーコンピュータ２００との間の送信及び受信の制御を行なう。通信部３２０は、サーバーコンピュータ２００との間の送信及び受信を行なう。
【００２３】
サーバーコンピュータ２００について説明する。サーバーコンピュータ２００は、送信者認識部２０１と、受信者認識部２０２と、制御部２１０と、通信部２２０とを備えている。送信者認識部２０１は、送信者情報格納部２３１と送信者位置情報格納部２３２とを備えている。送信者情報格納部２３１は、送信者側端末１００を特定するための情報、例えばメールアドレスを格納している。送信者位置情報格納部２３２は、送信者側端末１００の位置情報を格納している。これにより、送信者認識部２０１は、送信者側端末１００の位置とメールアドレスとを認識できる。
【００２４】
また、受信者認識部２０２は、受信者情報格納部２４１と受信者位置情報格納部２４２とを備えている。受信者情報格納部２４１は、受信者側端末３００を特定するための情報、例えばメールアドレスを格納している。受信者位置情報格納部２４２は、受信者側端末３００の位置情報を格納している。これにより、受信者認識部２０２は、受信者側端末３００の位置とメールアドレスとを認識できる。
【００２５】
サーバーコンピュータ２００の制御部２１０は、送信者側端末１００及び受信者側端末３００との間の送信及び受信の制御を行なう。通信部２２０は、送信者側端末１００及び受信者側端末３００との間の送信及び受信を行なう。
【００２６】
上述の構成において、送信者は、送信者側端末１００において、受信者側端末３００の位置を指定することで、受信者情報を知る必要なく、送信情報を受信者側端末３００へ送信できる。この結果、送信者は受信者のメールアドレス等の情報を知ることなく通信できる。
【００２７】
また、上述の構成において、サーバーコンピュータ２００における電子メール（送信情報）を送信した送信者側端末１００の認識方法としては、送信者側端末１００から電子メール送信時にこの電子メールに自己のメールアドレス等の識別情報を付加してサーバーコンピュータ２００に送信することで認識しても良い。また、サーバーコンピュータ２００の送信者認識部２０１が認識する送信者側端末１００の位置の情報から電子メールを送信した送信者側端末１００を認識しても良い。
【００２８】
さらに、送信者側端末１００から送信された電子メールを受信者側端末３００に送信するにあたり、この電子メールに送信者側端末１００に対応付けられているメールアドレスを付加して送付しても良く、また、匿名でメールアドレスを付加することなく送信しても良い。また、メールアドレスの付加をするか否かについて、送信者側端末１００において選択できることが望ましい。
【００２９】
また、サーバーコンピュータ２００は、送信者側端末１００から送信される文字データ等の送信情報を収納するバッファ部を備えていても良い。このようなバッファ部を備えたサーバーコンピュータ２００は、例えば、何らかの理由により送信情報を受信者側端末３００に送信できない場合に、送信者側端末１００から送信された送信情報を一時的に保存し、送信可能となった時に、再度、受信者側端末３００に送信情報を送信することが可能となる。
【００３０】
さらに、図３は、実施例１に係る情報通信システムのより詳しい機能ブロックを示す。図２で説明した原理と同一の部分には同一の符号を付し、重複する説明は省略する。サーバーコンピュータ２００の受信者認識部２０２は、さらに、受信候補者選出エリア作成部２４３と受信者受取可否情報格納部２４４とを備えている。受信候補者選出エリア作成部２４３は、受信者位置情報格納部２４２に格納されている受信者位置情報に基づいて、受信者側端末３００の分布図を作成する。
【００３１】
図５は、送信者側端末１００の情報表示部１４０に表示された分布図の構成例を示す。一定の領域における複数の受信者側端末と送信者側端末とを丸印で示す。複数の丸印のうち、位置Ｔの黒い丸印は、送信者側端末１００を示す。また、位置Ｒの丸印は、後述する手順で選択された受信者側端末３００の位置を示す。このように、送信者側端末１００、受信者側端末３００は、一つに限られず、複数の端末でも良い。
【００３２】
図３に戻って説明を続ける。サーバーコンピュータ２００の受信者受取可否情報格納部２４４は、受信者側端末３００の受信可否設定部３０２で設定された受信拒否または受信許可の情報が格納されている。受信拒否を設定したときは、受信者側端末３００の位置情報は、上述の分布図上には表示されない。例えば、受信者側端末３００から、所定距離以上離れた送信者からの受信を拒否することができる。これにより、受信者の近傍に存在する人からのメッセージのみを受信できる。
【００３３】
また、送信者側端末１００の情報送信希望部１０４は、送信者が情報の送信を希望するか、否かを設定する。受信者指定部１０２は、分布図取得部１３１と分布図表示部１３２と受信者選択部１３３とを備えている。分布図取得部１３１は、サーバーコンピュータ２００で作成された分布図を取得する。分布図表示部１３２は、取得された分布図を表示する。分布図表示部１３２としては、情報表示部１４０を用いることができる。送信者は、受信者選択部１３３により、情報表示部１４０に表示されている分布図上のカーソル（図５において×印で示す）を移動させて受信者を選択する。
【００３４】
送信情報作成部１０３は、送信する送信情報を作成する。送信情報作成部１０３として、テンキー１５０を用いることができる。テンキー１５０により、文字等で構成されるメッセージを作成する。
【００３５】
次に、図４に基づいて、送信情報を送信及び受信するシーケンスを説明する。シーケンス４０１において、送信者側端末１００は、送信者位置情報をサーバーコンピュータ２００へ送信する。シーケンス４０２において、受信者側端末３００は、受信者位置情報をサーバーコンピュータ２００へ送信する。シーケンス４０３において、サーバーコンピュータ４０３は、送信者側端末１００の位置情報及び受信者側端末３００の位置情報を収集する。そして、サーバーコンピュータ２００は、ユーザ、即ち送信者及び受信者の位置を認識する。
【００３６】
シーケンス４０４において、送信者側端末１００は、情報を送信する希望があることをサーバーコンピュータ２００へ送信する。シーケンス４０５において、サーバーコンピュータ２００は、情報を送信したい送信者を認識する。シーケンス４０６において、サーバーコンピュータ２００は、位置情報を認識している一以上の受信者側端末を選出する。そして、上述したような分布図上に受信者側端末の位置を表示する。
【００３７】
シーケンス４０７において、送信者側端末１００は、分布図を取得する。そして、送信者側端末１００の情報表示部１４０は、取得した分布図を表示する。シーケンス４０８において、送信者は、分布図上において送信したい相手を特定する。送信する相手の特定は、後述するカーソル移動による選択、決定により行なうことができる。シーケンス４０９において、送信者は、テンキー１５０等を用いて送信情報を作成する。シーケンス４１０において、作成された送信情報が、送信者側端末１００からサーバーコンピュータ２００へ送信される。
【００３８】
シーケンス４１１において、サーバーコンピュータ２００は、選択された受信者側端末を認識する。シーケンス４１２において、サーバーコンピュータ２００は、選択されている受信者側端末３００に対して送信情報を送信する。そして、シーケンス４１３において、選択された受信者側端末３００は、送信情報を受信する。このように、送信者側端末１００の受信者指定部１０２により指定された受信者側端末３００の受信者位置情報に基づいて、サーバーコンピュータ２００の受信者認識部２０２が対応する受信者側端末３００を特定し、特定された受信者側端末３００に対して、送信者側端末１００の送信情報作成部１０３で作成された送信情報を送信する。
【００３９】
図６は、送信情報を送信する手順を示すフローチャートである。例えば、図１に示すような送信者側端末１００、受信者側端末３００ａ、３００ｂ、３００ｃをそれぞれ所持する人間がバス、電車などの交通機関に乗車している場合を考える。そして、受信者側端末を所持している子供が、老人に席を譲ったとする。このとき、席を譲った子供の周辺に存在する人は、その子供に対して、例えば「ぼうや、えらいね」等の褒める言葉を掛けてあげたいことが多い。このような場合、本実施例の情報通信システムを用いて、以下の手順でメッセージを子供に対して送信できる。
【００４０】
ステップ６０１において、席を譲った子供に対してメッセージを送りたい送信者は、上述した分布図を用いて周囲に存在する受信者側端末の分布情報を収集する。例えば、図５に示す分布図において、送信者の位置Ｔに対して、受信者としたい子供は位置Ｒに存在するときを考える。
【００４１】
送信者は、分布図において、カーソル（図５では、×印で示す）を移動させる。カーソルの移動は、カーソル移動キー１５１（図１参照）により行なう。カーソル移動キー１５１は、受信者選択部に対応する。送信者は、分布図上において、送信したい相手側を選択し、決定する。次に、送信者は、送信したい送信情報を送信者側端末１００において作成する。例えば、送信情報が文字情報のとき、送信者はテンキー１５０を用いて送信情報を作成する。送信情報の具体例は、後述する。
【００４２】
ステップＳ６０４において、作成した送信情報を作成するか、否かを判断する。判断結果が真（Ｙｅｓ）のとき、送信者側端末１００は、通信部１２０を介してサーバーコンピュータ２００へ送信情報を送信する。上述したように、サーバーコンピュータ２００は、選択された受信者の受信者位置情報と受信者情報、例えばメールアドレスとを認識している。これにより、サーバーコンピュータ２００は、選択された受信者側端末３００ｂ（図１参照）に対して送信情報を送信する。受信者側端末３００ｂは、サーバーコンピュータ２００から送信された送信情報を受信する。
【００４３】
図１０は、受信者側端末３００ｂの情報表示部１４０が、受信した送信情報を表示している状態を示す。図１０の（ａ）は、上述した席を譲った子供に対して、周囲の人間Ａ、Ｘが賞賛、褒める言葉を送信した例である。その子供が所持する受信者側端末３００ｂの情報表示部１４０に、受信した文字メッセージが表示されている。例えば、送信者Ａは、「ぼうや、えらいね！よくやったね！」という賞賛のメッセージを送信している。また、送信者Ｘは、「大人になっても、その心を忘れないでね！」という褒める言葉のメッセージを送信している。
【００４４】
ここで、受信者側端末３００ｂは、サーバーコンピュータ２００を介して送られた送信情報であるメッセージを受信している。このため、受信者は、送信者側端末１００のメールアドレスを知ることができない。これにより、送信者と受信者との双方がメールアドレス等の情報を知ることなく通信できる情報通信システムを提供できる。
【００４５】
図１０の（ｂ）、（ｃ）は、他の送信情報を受信した例である。図１０の（ｂ）では、送信者Ｘから、受信者側端末３００ｂに対して、注意を内容とする送信情報を送信している。例えば、「ヘッドフォンの音漏れが大き過ぎるよ」というメッセージが送信されている。また、図１０の（ｃ）では、送信者Ｍから、受信者側端末３００ｂに対して、警告を内容とする送信情報を送信している。例えば、「後ろから変な人がつけてますよ。お気をつけて」というメッセージが送信されている。このように、他の人に対して注意や警告を与えるときには、送信者側端末１００の送信者情報、例えばメールアドレスを知られない本情報通信システムは好適である。
【００４６】
また、送信者が選択する受信者側端末３００ｂの数は一つに限られない。例えば、送信者は、カーソルを用いて、図５の分布図における所定領域ＡＲを指定する。サーバーコンピュータ２００は、所定領域ＡＲ内に存在する全ての受信者側端末を認識する。そして、サーバーコンピュータ２００は、認識された複数の受信者側端末へメッセージを一斉に送信する。これにより、例えば、コンサート会場における一定領域内の複数の受信者、または絵画の展覧会会場における一定領域内の複数の受信者に対して、感動等の意思表示を一斉に送信できる。これにより、その場に居合わせた人々と感動を共有することができる。
【００４７】
次に、図７、図８、図９を参照して、送信情報を受信する側の手順を説明する。図７は、一定時間内のメッセージのみを受信者が認識できる手順を示す。例えば、上述の警告や注意のメッセージを受信するとき、一時間前に送信されたメッセージを一時間後に認識しても、殆ど意味が無いことが多い。本フローチャートは、このような状況を鑑みた手順である。
【００４８】
ステップＳ７０１において、メッセージの有無が判断される。ステップＳ７０１の判断結果が真のとき、ステップＳ７０２へ進む。ステップＳ７０２において、例えば制御部２１０は、メッセージを受信してから時間ｔｍが経過したか、否かを判断する。換言すると、ステップＳ７０２では、受信したメッセージが、現在時刻からｔｍ時間以内のものか、否かを判断する。ステップＳ７０２の判断結果が偽のときは、ステップＳ７０３において、受信者側端末３００ｂの情報表示部１５０にメッセージが表示される。このように、図７に示したフローチャートでは、一定時間ｔｍを超えたときに、メッセージを消去する。また、ステップＳ７０１の判断結果が偽のとき、一番初めの手順へ戻る。同様に、ステップＳ７０２の判断結果が真のときは、リセット、即ちメッセージを消去した後、一番初めの手順へ戻る。これにより、受信者は、予め設定されている一定時間内に送信されたメッセージのみを見ることができる。
【００４９】
図８は、一定件数以上のメッセージのみを受信者が認識できる手順を示す。例えば、不特定多数の送信者からのメッセージを受信するとき、いわゆる冷やかしのメッセージであることも考えられる。本フローチャートは、このような状況を鑑みた手順である。
【００５０】
ステップＳ８０１において、メッセージの有無が判断される。ステップＳ８０１の判断結果が真のとき、ステップＳ８０２へ進む。ステップＳ８０２において、例えば制御部２１０は、メッセージを受信してから時間ｔｍが経過したか、否かを判断する。換言すると、ステップＳ８０２では、受信したメッセージが、現在時刻からｔｍ時間以内のものか、否かを判断する。ステップＳ８０２の判断結果が偽のときは、ステップＳ８０３において、サーバーコンピュータ２００が受信したメッセージがｎ件以上か、否かが判断される。ステップＳ８０３の判断結果が真のとき、ステップＳ８０４において、受信者側端末３００ｂの情報表示部１５０にメッセージが表示される。
【００５１】
また、ステップＳ８０１の判断結果が偽のとき、一番初めの手順へ戻る。同様に、ステップＳ８０２の判断結果が真のときは、リセット、即ちメッセージを消去した後、一番初めの手順へ戻る。さらに、ステップＳ８０３の判断結果が偽のとき、ステップＳ８０２へ戻る。これにより、受信者は、予め設定されている一定時間内にｎ件以上のメッセージを受信したときのみメッセージを見ることができる。これにより、冷やかしのメールを見ることを低減できる。
【００５２】
なお、本フローチャートの手順は、急を要する警告や注意などのメッセージには適用されない。これにより、急を要する警告や注意などのメッセージは、いつでも受信できる。
【００５３】
図９は、一定人数以上の送信者からのメッセージのみを受信者が認識できる手順を示す。例えば、個人からの大量の嫌がらせのメッセージを受信することも考えられる。本フローチャートは、このような状況を鑑みた手順である。
【００５４】
ステップＳ９０１において、メッセージの有無が判断される。ステップＳ９０１の判断結果が真のとき、ステップＳ９０２へ進む。ステップＳ９０２において、例えば制御部２１０は、受信したメッセージを受信してから時間ｔｍが経過したか、否かを判断する。換言すると、ステップＳ９０２では、受信したメッセージが、現在時刻からｔｍ時間以内のものか、否かを判断する。ステップＳ９０２の判断結果が偽のときは、ステップＳ９０３において、サーバーコンピュータ２００が受信したメッセージがｎ件以上か、否かが判断される。ステップＳ９０３の判断結果が真のとき、ステップＳ９０４において、送信者がｍ人以上か、否かが判断される。ステップＳ９０４の判断結果が真のときは、ステップＳ９０５において、受信者側端末３００ｂの情報表示部１５０にメッセージが表示される。
【００５５】
また、ステップＳ９０１の判断結果が偽のとき、一番初めの手順へ戻る。同様に、ステップＳ９０２の判断結果が真のときは、リセット、即ちメッセージを消去した後、一番初めの手順へ戻る。さらに、ステップＳ９０３の判断結果が偽のとき、ステップＳ９０２へ戻る。また、ステップＳ９０４の判断結果が偽のとき、ステップＳ９０２へ戻る。これにより、受信者は、予め設定されている一定時間内にｎ件以上のメッセージを、ｍ人以上の送信者から受信したときのみメッセージを見ることができる。これにより、個人からの大量の嫌がらせのメールを見ることを低減できる。なお、ステップＳ９０３とステップＳ９０４とを選択的に用いることも可能である。さらに、本フローチャートの変形例として、送信者の人数が所定人数以下のときに、メッセージを表示させることもできる。これにより、一度に大量のメッセージを受信することを低減できる。
【００５６】
なお、本フローチャートの手順は、急を要する警告や注意などのメッセージには適用されない。これにより、急を要する警告や注意などのメッセージは、いつでも受信できる。
【実施例２】
【００５７】
図１１は、本発明の実施例２に係る情報通信システムの概略構成を示す。上記実施例１と同一の部分には同一の符号を付し、重複する説明は省略する。上記実施例１と同様に、送信者ＯＢＳａは、バス内において老人に席を譲っている子供ＯＢＳｂを送信者側端末である携帯情報端末５００を用いて観察している。
【００５８】
送信者ＯＢＳａは、携帯情報端末５００を用いて受信者である子供ＯＢＳｂを観察する。携帯情報端末５００は、撮像部５０４と、電子情報表示部５０１と、半透過光学素子５０２とを有する。撮像部５０４として、小型カメラを用いることができる。電子情報表示部５０１として、液晶表示パネルや有機ＥＬパネルを用いることができる。また、半透過光学素子５０２は、ハーフミラーやホログラム素子を用いることができる。
【００５９】
図１２−１、図１２−２は、携帯情報端末５００の斜視図である。携帯情報端末５００は、さらに、情報入力部５３０を備えている。情報入力部５３０は、数字キー、記号キー、アルファベットキー等から構成される、いわゆるテン（１０）キーである。半透過光学素子５０２は、子供ＯＢＳｂからの光を透過し、電子情報表示部５０１からの光を送信者ＯＢＳａの方向へ反射する。
【００６０】
図１３−１は、携帯情報端末５００を上面からみた構成を示す。図１３−２は、携帯情報端末５００の断面構成を示す。図１３−３は、携帯情報端末５００を底面から見た構成を示す。図１３−１、図１３−３に示すように、撮像部５０４は、光学レンズと、撮像デバイスとから構成されている。撮像デバイスは、例えば２次元ＣＣＤを用いることができる。
【００６１】
また、図１３−２に示すように、送信者ＯＢＳａは、半透過光学素子５０２を透過して子供ＯＢＳｂを実視野で観察する。同時に、電子情報表示部５０１に表示された情報の像は、半透過光学素子５０２により送信者ＯＢＳａの方向へ反射される。これにより、送信者ＯＢＳａは、子供ＯＢＳｂを実視野で観察しつつ、重畳して情報を認識できる。
【００６２】
また、図１２−１に示すように、携帯情報端末５００は、受信者座標計測部５０５を備えている。受信者座標計測部５０５は、測距部とセンサーとから構成されている。そして、図１４に示すように、受信者座標計測部５０５のうち測距部は、携帯情報端末５００から子供ＯＢＳｂまでの距離ＤＴを測定する。測距部は、例えば三角測量の原理を用いた位相差方式により測距する。また、携帯情報端末５００は、センサー（不図示）を内蔵している。センサーは、携帯情報端末５００の姿勢、即ち方位ＤＲを検出する。測距部とセンサーとで、子供ＯＢＳｓまでの方位ＤＲと距離ＤＴとを測定できる。
【００６３】
図１５は、本実施例に係る情報通信システムの機能ブロックを示す。携帯情報端末５００は、受信者座標測定部５０５を備える。受信者座標測定部５０５は、上述のように携帯情報端末５００を基準として、子供ＯＢＳｂまでの方位ＤＲと距離ＤＴとを測定する。
【００６４】
サーバーコンピュータ２００は、送信者認識部２０１と受信者認識部２０２と制御部２１０と通信部２２０とを備えている。ここで、実施例１と同一の部分には同一の符号を付す。送信者位置情報格納部２３２には、送信者位置情報が格納されている。受信者位置情報格納部２４２には、受信者位置情報が格納されている。これにより、サーバーコンピュータ２００は、携帯情報端末５００と受信者側端末５５０との位置を認識できる。
【００６５】
受信者側端末５５０は、例えば、図１１に示すように子供ＯＢＳｂが着用している眼鏡型の情報端末である。受信者認識部２０２の受信候補者選出部２４５は、上述の送信者側端末１００を基準とした方位ＤＲと距離ＤＴに基づいて受信候補者を選出する。受信候補者提示部２４６は、受信候補者を、例えば実施例１で述べた分布図のような形で提示する。この分布図は、通信部２２０を介して携帯情報端末５００へ送られる。携帯情報端末５００の電子情報表示部５０１は、分布図を実視野に重畳して表示する。使用者ＯＢＳａは、テンキー５３０等を用いて、分布図上の候補者のうち送信したい相手である子供ＯＢＳｂを選択、決定する。
【００６６】
決定された子供ＯＢＳｂの情報は、サーバーコンピュータ２００へ送信される。そして、携帯情報端末５００からの送信情報は、サーバーコンピュータ２００を介して、子供ＯＢＳｂが着用している受信者側端末５５０へ送信される。
【００６７】
次に、図１６に基づいて、送信情報を送信及び受信するシーケンスを説明する。シーケンス１００１において、携帯情報端末５００は、受信者座標計測部５０５を構成する測距部とセンサーとにより、受信者である子供ＯＢＳｂの受信者座標を計測する。シーケンス１００２において、送信者側端末である携帯情報端末５００の送信者位置と、メールアドレス等の送信者情報と、受信相手までの距離ＤＴと方位ＤＲとをサーバーコンピュータ２００へ送信する。また、シーケンス１００３において、受信者側端末５５０は、その位置情報をサーバーコンピュータ２００へ送信する。
【００６８】
シーケンス１００４において、サーバーコンピュータ２００は、携帯情報端末５００の位置を認識する。また、サーバーコンピュータ２００は、受信者である子供ＯＢＳｂが着用している眼鏡型の受信者側端末５５０の位置とメールアドレス等の送信者情報とを認識する。このとき、サーバーコンピュータ２００は、上述したように、携帯情報端末５００を基準とする方位ＤＲと距離ＤＴとに基づいて、受信者の候補を選出する。そして、送信者ＯＢＳａは、候補者の中から子供ＯＢＳｂを選択、決定する。
【００６９】
シーケンス１００５において、サーバーコンピュータ２００は、受信者側端末５５０に対して送信情報を送信する。シーケンス１００６において、受信者側端末５５０は、送信情報を受信する。このとき、受信者側端末５５０は、眼鏡型の端末である。このため、老人に席を譲った子供ＯＢＳｂは、例えば「ぼうや、よくやったね」というメッセージを実視野に重畳して認識できる。
【００７０】
上述の構成において、携帯情報端末５００は、受信者側端末５５０の方位ＤＲと距離ＤＴを特定することで、受信者情報を知る必要なく、送信情報を送信できる。同様に、受信者側端末５５０も、携帯情報端末５００の送信者情報を知ることなく、サーバーコンピュータ２００を介して送信情報を受信できる。この結果、送信者と受信者との双方がメールアドレス等の情報を知ることなく通信できる。
【００７１】
上述の実施例において、送信情報の内容、例えば電子メールの内容は、特に制限はなく、文字情報、写真情報、サーバーコンピュータに備えられる定型文書を選択する選択情報等が挙げられる。
【００７２】
また、受信者指定部としては、受信者側端末の位置を指定することにより電子メール等の送信情報を送信したい受信者側端末を指定するものが挙げられる。そして、受信者指定部には、受信者の位置を直接的に指定するもの、及び間接的に指定するものが含まれる。
【００７３】
受信者の位置を直接指定するものとしては、送信者側端末において電子メールを送信したい受信者側端末の位置を測定して指定するもの、及びサーバーコンピュータから受信候補者が所持する受信者側端末の位置に基づく分布図を取得し、この分布図上から指定するものが含まれる。
【００７４】
また、受信者側端末の位置を間接的に指定するものとしては、送信者側端末において予め所定領域エリアを指定することにより受信者側端末の位置を間接的に指定して、受信者側端末を選択するものが含まれる。
【００７５】
以上説明した実施例では、手で把持する携帯電話機や携帯情報端末、眼鏡型の受信者端末を例に説明している。しかしながら、本発明はこれに限られるものではなく、例えば、公知のヘッド・マウント・ディスプレイや、ＰＤＡ（Ｐｅｒｓｏｎａｌ  Ｄｉｇｉｔａｌ  Ａｓｓｉｓｔａｎｃｅ）を用いることができる。また、送信情報の内容も、文字メッセージに限られず、音声、画像、これらの組み合わせでも良い。
【産業上の利用可能性】
【００７６】
以上のように、本発明に係る情報通信システムは、サーバーコンピュータを介する間接的な通信システムに有用である。
【図面の簡単な説明】
【００７７】
【図１】本発明の実施例１の情報通信システムの概略構成を示す図である。
【図２】本発明の原理を説明する機能ブロック図である。
【図３】本発明の実施例１の情報通信システムの機能ブロック図である。
【図４】本発明の実施例１の送受信のシーケンスを示す図である。
【図５】分布図の例を示す図である。
【図６】実施例１の送信手順を示すフローチャートである。
【図７】実施例１の受信手順を示すフローチャートである。
【図８】実施例１の受信手順を示す他のフローチャートである。
【図９】実施例１の受信手順を示すさらに他のフローチャートである。
【図１０】実施例１の受信側端末の情報表示の例を示す図である。
【図１１】本発明の実施例２の情報通信システムの概略構成を示す図である。
【図１２−１】実施例２の携帯情報端末の斜視構成を示す図である。
【図１２−２】実施例２の携帯情報端末の斜視構成を示す他の図である。
【図１３−１】実施例２の携帯情報端末の上面構成を示す図である。
【図１３−２】実施例２の携帯情報端末の断面構成を示す他の図である。
【図１３−３】実施例２の携帯情報端末の底面構成を示す図である。
【図１４】本発明の実施例２の携帯情報端末の測距等を説明する図である。
【図１５】本発明の実施例２の情報通信システムの機能ブロック図である。
【図１６】本発明の実施例２の送受信のシーケンスを示す図である。
【符号の説明】
【００７８】
１００  送信者側端末
１０１  送信者位置情報発信部
１０２  受信者指定部
１０３  送信情報作成部
１１０  制御部
１２０  通信部
１４０  情報表示部
１５０  テンキー
１５１  カーソル移動部
２００  サーバーコンピュータ
２０１  送信者認識部
２０２  受信者認識部
２１０  制御部
２２０  通信部
２３１  送信者情報格納部
２３２  送信者位置情報格納部
２４１  受信者情報格納部
２４２  受信者位置情報格納部
３００、３００a、３００ｂ、３００ｃ  受信者側端末
３０１  送信者位置情報発信部
３０２  受信可否設定部
３１０  制御部
３２０  通信部
Ｔ、Ｒ  位置
ＯＢＳａ  送信者
ＯＢＳｂ  子供
ＯＢＳｃ、ＯＢＳｄ  他の人
５００  携帯情報端末
５０１  電子情報表示部
５０２  半透過光学素子
５０４  撮像部
５０５  受信者座標計測部
５３０  テンキー
５５０  受信者側端末
【図１】
2006211011.tif 000003
【図２】
2006211011.tif 000004
【図３】
2006211011.tif 000005
【図４】
2006211011.tif 000006
【図５】
2006211011.tif 000007
【図６】
2006211011.tif 000008
【図７】
2006211011.tif 000009
【図８】
2006211011.tif 000010
【図９】
2006211011.tif 000011
【図１０】
2006211011.tif 000012
【図１１】
2006211011.tif 000013
【図１２−１】
2006211011.tif 000014
【図１２−２】
2006211011.tif 000015
【図１３−１】
2006211011.tif 000016
【図１３−２】
2006211011.tif 000017
【図１３−３】
2006211011.tif 000018
【図１４】
2006211011.tif 000019
【図１５】
2006211011.tif 000020
【図１６】
2006211011.tif 000021